(57)【要約】【課題】本発明は、映像信号を補正して色彩の良い映像が得られる映像信号を生成する映像信号処理装置に関し、輝度信号がＰＤＰや液晶表示装置等に適合するように補正されたものであっても、輝度と色のバランスが保たれるように映像信号（色差信号）を補正する。【解決手段】ＬＵＴ１１１，１１２により色のコントラストを上げておき、乗算器１２１，１２２により輝度に連動して色差信号を補正することにより、見た目のコントラストが改善されるように輝度信号が補正された場合であっても、自然な発色と色のＳ／Ｎ比改善が可能となる。【選択図】　　　　図１
2004080269.tif 000002
【特許請求の範囲】
【請求項１】
映像信号がデジタル化されてなるデジタルの色差信号を、薄い色がより薄くかつ濃い色がより濃くなる方向に変換する色コントラスト変換部と、
前記デジタルの色差信号に、輝度が低い場合に小さい係数となるように輝度信号に応じて変化させた乗算係数を乗算する乗算器とを備えたことを特徴とする映像信号処理装置。
【請求項２】
前記色コントラスト変換部は、入力の色差信号と出力の色差信号とを対応づけるルックアップテーブルからなるものであることを特徴とする請求項１記載の映像信号処理装置。
【発明の詳細な説明】
【０００１】
【発明の属する技術分野】
本発明は、映像信号を補正して色彩の良い映像が得られる映像信号を生成する映像信号処理装置に関する。
【０００２】
【従来の技術】
近年、ＤＶＤ（Ｄｉｇｉｔａｌ　Ｖｅｒｓａｔｉｌｅ　Ｄｉｓｃ）に代表される高画質のデジタルメディアを映像化する高品位テレビなどが販売されている。この高品位テレビでは、映像信号がＡＤコンバータによりデジタル化され、各種デジタル処理が施され、デジタル処理後の映像信号に基づく映像が出力される。
【０００３】
ここで、近年、新たに登場してきた表示デバイスであるＰＤＰ（Ｐｌａｚｕｍａ　Ｄｉｓｐｌａｙ　Ｐａｎｅｌ）や液晶表示装置は、従前のＣＲＴディスプレイ装置と比べコントラストが悪く、特に黒の再現性に劣っている。
【０００４】
そこでＰＤＰや液晶表示装置では、黒から暗いグレーの領域では標準的な明るさよりも更に暗い出力になるように輝度信号を補正し、見た目のコントラスト感を上げるような工夫がなされている。
【０００５】
【発明が解決しようとする課題】
しかし、輝度信号にこのような補正がなされると、輝度と色のバランスが崩れてしまい、人間が本来感じるべき色彩とは異なる色彩の映像になってしまうという問題がある。
【０００６】
この問題を解決するためのひとつの提案として、特開２００２−１３２２２５号公報に、１フレーム前の映像の特徴等によって輝度信号と色差信号を独立に調整することや、輝度信号により色差信号を補正することで明るいシーンの白い部分や暗いシーンの黒い部分に生じる、着色を制御することなどが開示されている。
【０００７】
しかしながら、この公報に提案された技術は、１フレーム前の映像の特徴、例えば暗いシーン、明るいシーン、赤っぽいシーン、青っぽいシーン等を識別して次のフレームの調整に反映させる必要があるため、処理が複雑になるおそれがあり、また、ＰＤＰや液晶表示装置等に適合するように輝度信号を補正することにより生じる弊害を除去するという観点から映像信号（色差信号）を補正するものではない。
【０００８】
本発明は、上記事情に鑑み、輝度信号がＰＤＰや液晶表示装置等に適合するように補正されたものであっても、輝度と色のバランスが保たれるように映像信号（色差信号）を補正する映像信号処理装置を提供することを目的とする。
【０００９】
【課題を解決するための手段】
上記目的を達成する本発明の映像信号処理装置は、
映像信号がデジタル化されてなるデジタルの色差信号を、薄い色がより薄くかつ濃い色がより濃くなる方向に変換する色コントラスト変換部と、
上記デジタルの色差信号に、輝度が低い場合に小さい係数となるように輝度信号に応じて変化させた乗算係数を乗算する乗算器とを備えたことを特徴とする。
【００１０】
本発明の映像信号処理装置では、上記色コントラスト変換部により色のコントラストを上げておき、上記乗算器により輝度に連動して色差信号を補正することにより、見た目のコントラストが改善されるように輝度信号が補正された場合であっても、自然な発色と色のＳ／Ｎ比改善が可能となる。
【００１１】
ここで、上記色コントラスト変換部は、入力の色差信号と出力の色差信号とを対応づけるルックアップテーブルからなるものであることが好ましい。
【００１２】
ルックアップテーブルを用いることにより、非線形な変換であってもその変換を高速に行なうことができる。
【００１３】
なお、本発明において、色コントラスト変換部と乗算器はどちらが前段に配備されどちらが後段に配備されたものであってもよい。
【００１４】
【発明の実施の形態】
以下、本発明の実施形態について説明する。
【００１５】
図１は、本発明の映像信号処理装置の一実施形態を含む信号処理系統図である。
【００１６】
ここには、例えばＲＧＢ信号から変換された後の輝度色差信号を構成する映像信号（色差信号Ｃｒおよび色差信号Ｃｂ）と輝度信号が入力される。ここに入力される輝度信号は、ＰＤＰや液晶を用いた表示装置での見た目のコントラスト感を向上させるために、黒から暗いグレーの領域がさらに暗くなるように補正されたものである。
【００１７】
映像信号を構成する色差信号Ｃｒと色差信号Ｃｂは、それぞれ各ＡＤコンバータ１１，１２に入力されてそれぞれデジタルの色差信号Ｃｒ，Ｃｂが生成され、それらデジタルの色差信号Ｃｒ，Ｃｂが本発明の一実施形態である映像信号処理装置１００のＬＵＴ（ルックアップテーブル）１１１，１１２にそれぞれ入力される。
【００１８】
図２は、ＡＤコンバータに入力されるアナログの映像信号（横軸）に対する、ＬＵＴの出力データ（縦軸）を示す図である。
【００１９】
この図２に示すように、ＬＵＴ１１１，１１２では色差信号Ｃｒ，Ｃｂが、薄い色（入力電圧の小さい領域）がより薄く、かつ濃い色（入力電圧の大きい領域）がより濃くなるように変換される。
【００２０】
各ＬＵＴ１１１，１１２から出力された色差信号Ｃｒ，Ｃｂは、今度は、各乗算器１２１，１２２に入力される。
【００２１】
これらの乗算器１２１，１２２では、入力されたデジタルの色差信号Ｃｒ，Ｃｂに、輝度信号に応じて変化させた乗算係数が乗算される。
【００２２】
図３は、輝度信号の信号レベルに対する乗算係数の一例を示した図である。
【００２３】
輝度信号レベルの低い、黒から暗いグレーの領域では、黒に近づくほど乗算係数が小さい値となっている。
【００２４】
ルックアップテーブル１１１，１１２による、図２に示すような変換と、乗算器１２１，１２２による、図３に示すような、輝度信号レベルに応じた乗算係数の乗算とを組み合わせることにより、輝度にともない色信号を変化させた、人間の色覚に適合した色を表現することのできる映像信号が得られる。
【００２５】
尚、上記実施形態では、ＬＵＴ１１１，１１２を前段に配置し、乗算器１２１，１２２を後段に配置しているが、これとは逆に、乗算器１２１，１２２を前段に配置し、ＬＵＴ１１１，１１２を後段に配置してもよい。
【００２６】
【発明の効果】
以上説明したように、本発明の映像信号処理装置によれば、暗く輝度の低いところでは色差信号の信号レベルが抑えられ明るいところの色差信号は相対的に強調され、これにより出力映像の色彩が改善される。
【図面の簡単な説明】
【図１】本発明の映像信号処理装置の一実施形態を含む信号処理系統図である。
【図２】ＡＤコンバータに入力されるアナログの映像信号（横軸）に対する、ＬＵＴの出力データ（縦軸）を示す図である。
【図３】輝度信号の信号レベルに対する乗算係数の一例を示した図である。
【符号の説明】
１１，１２　　ＡＤコンバータ
１００　　映像信号処理装置
１１１，１１２　　ＬＵＴ（ルックアップテーブル）
１２１，１２２　　乗算器
【図１】
2004080269.tif 000003
【図２】
2004080269.tif 000004
【図３】
2004080269.tif 000005